(57)【要約】      （修正有）【課題】プラットフォームを利用しないで、脆弱なプラスチックパレットを破損することなく安全に効率よくコンテナから荷降ろしするための新規なパレット引張用具を提供する。【解決手段】ベース基材２５と蝶番を介してその端部が連結しているＬ字型の引掛け部材３、５、８、１０と、前記Ｌ字型の引掛け部材の屈折箇所に蝶番を介してその一端が連結している引掛け部材移動用兼支持体１４、１７、２０、２３と、前記引掛け部材移動用兼支持体の他端と挿入棒２、７の先端部とを連結する蝶番と、挿入棒２、７を連結部材１で一体化してなる前記Ｌ字型の引掛け部材を出し入れするための出入部材、よりなるパレット引張用具である。【選択図】図１
0003142814.tif 000002
【実用新案登録請求の範囲】
【請求項１】
（イ）ベース基材（２５）と蝶番を介してその端部が連結しているＬ字型の引掛け部材（３）、（５）、（８）、（１０）、
（ロ）前記Ｌ字型の引掛け部材（３）、（５）、（８）、（１０）の屈折箇所に蝶番を介してその一端が連結している引掛け部材移動用兼支持体（１４）、（１７）、（２０）、（２３）、
（ハ）前記引掛け部材移動用兼支持体（１４）、（１７）の他端と挿入棒（２）の先端部とを連結する蝶番、
（ニ）前記引掛け部材移動用兼支持体（２０）、（２３）の他端と挿入棒（７）の先端部とを連結する蝶番、
（ホ）挿入棒（２）および（７）を連結部材（１）で一体化してなる前記Ｌ字型の引掛け部材を出し入れするための出入部材
よりなるパレット引張用具であって、
前記出入部材をパレットの側面に左右対象に設けられている２箇所のパレット差込口に挿入し、Ｌ字型の引掛け部材（３）、（５）、（８）、（１０）が挿入棒（２）および（７）に取り付けられた引掛け部材移動用兼支持体（１４）、（１７）、（２０）、（２３）に押されて左右に拡がり、パレットのブロックと称する構成部材に引っかかってパレットを引張り出せる状態になった時、引掛け部材移動用兼支持体（１４）と（１７）および（２０）と（２３）に対する挿入棒（２）および（７）が形成する角度αがそれぞれ９０度未満の角度となるものであることを特徴とするパレット引張用具。
【請求項２】
前記引掛け部材移動用兼支持体（１４）と（１７）および（２０）と（２３）に対する挿入棒（２）および（７）が形成する角度αが８０度〜８８度である請求項１記載のパレット引張用具。
【請求項３】
パレット引張用具をパレットへ挿入したり、引き出すのを容易にするためのガイドを有する請求項１または２記載のパレット引張用具。
【考案の詳細な説明】
【技術分野】
【０００１】
本考案は、「荷物の輸送に使用されるパレットの引張用具」に関するものである。
【背景技術】
【０００２】
物流業界において重量物荷物の輸送は、パレットに載せて行うのが普通である。これに使用されるパレットは、主として木製またはプラスチック製で、フォークリフトでの移動のために差込口を二方または四方に設けた平パレットが広く流通している。
荷物を載せたパレットはトラックによる輸送が多く、トラックへのパレットの上げ下ろしは通常フォークリフトで行っている。一方、海外から日本へ輸入される荷物は、４０フィートコンテナまたは２０フィートコンテナに詰められた状態で到着するが、荷役業者によりパレット毎フォークリフトを使用してトラックに載せ換えて荷受先に届けられ、主にフォークリフトで荷降ろしが行われる。しかし、コンテナからトラックへの載せ換えには費用が掛かるので、４０または２０フィートコンテナを直接荷受人に届けることもしばしば行われている。この場合の荷受人側での荷降ろしは、コンテナ後部（扉側）を固定式で高床式のプラットフォームや傾斜の付いた移動式のプラットフォームに着けてフォークリフトをコンテナに出入させて行うことが多い。しかし、荷受人側がこれらのプラットフォームを用意していない場合は、コンテナの扉際の２個のパレットはフォークリフトで降ろせるがその奥のパレットは、リフトのフォークが届かないため直接荷降ろしすることは出来ない。
この場合は、パレットのブロック又はけたと称する部分にベルト、ワイヤ、フック、クランプ等の引張用具をセットしてフォークリフトでトラックの扉際まで引き出し、その後にこれら引張用具を外してからフォークリフトで荷降ろしをする。一般的に４０フィートコンテナであれば２０パレットが積載されているので引張用具をセットしてフォークリフトで扉際まで引き出す作業を１８回繰り返すことになる。
【０００３】
一方、パレットの素材は、近年もろもろの事情によりプラスチックが多くなっている。特に海外からの輸入製品に使用されるパレットはプラスチック製への変更が顕著である。これは２００７年４月から農林水産省が森林病虫害の侵入を防止するために輸入木材の検疫を開始したことに起因している。即ち、従来の木製パレットは、輸入木材とみなされ、検疫の対象になるため、このような検疫の対象にならないポリプロピレン等のプラスチック製のパレットに代替されたのである。
この輸入貨物に使われるプラスチックパレットは、１回限り使用するものとして製造された低価格の使い捨てワンウエイパレットがほとんどであり、このパレットは、一度の輸送に耐えるだけの最低限度の強度しかなく脆弱に出来ている。このため、先述したようにコンテナから荷物を降ろす方法として、プラットフォームを利用してすべてのプラスチックパレットをフォークリフトで扱えば、パレットが脆弱であってもほとんどトラブルなく普通に荷降ろし作業が出来る。しかし、これも先述したようにプラットフォームがなくて、ワイヤ等をプラスチックパレットの前列に３個存在するブロック（たとえば奥行き２００ｍｍ、幅２００ｍｍ、高さ１２０ｍｍ）の中央のブロックのみに引掛けて降ろす場合は、脆弱なパレットはパレット上の荷の重さに耐えられず、ブロック部分が破損することが往々にして起きる。こうなるとパレットに載った荷物を手作業で降ろすか、荷物によってはそれに紐を付けるなどしてフォークリフトで引き摺り下ろしたりしている。これらの事態に陥ると作業時間が大幅に掛かり、また荷物が破損するリスクもあるため荷受人が困る状況が２００７年４月以降に多発している。このため日本側荷受人からこの問題解決のために、プラットフォームの利用なしで脆弱なプラスチックパレットを従来の木製パレットと同じ時間でコンテナから荷降ろしする方法が切望されていた。
【０００４】
パレット引張用具としては、たとえば特許文献１が存在するが、極めて複雑な構造であり、高価になることは避けられない。
【０００５】
【特許文献１】特開２００３−３４４３０号公報
【考案の開示】
【考案が解決しようとする課題】
【０００６】
本考案の目的は、プラットフォームの利用なしで、コンテナから脆弱なプラスチックパレットを破損することなく安全に効率よく荷降ろしするための新規なパレット引張用具を提供する点にある。
【課題を解決するための手段】
【０００７】
本考案の第１は、（イ）ベース基材（２５）と蝶番を介してその端部が連結しているＬ字型の引掛け部材（３）、（５）、（８）、（１０）、
（ロ）前記Ｌ字型の引掛け部材（３）、（５）、（８）、（１０）の屈折箇所に蝶番を介してその一端が連結している引掛け部材移動用兼支持体（１４）、（１７）、（２０）、（２３）、
（ハ）前記引掛け部材移動用兼支持体（１４）、（１７）の他端と挿入棒（２）の先端部とを連結する蝶番、
（ニ）前記引掛け部材移動用兼支持体（２０）、（２３）の他端と挿入棒（７）の先端部とを連結する蝶番、
（ホ）挿入棒（２）および（７）を連結部材（１）で一体化した出入部材
よりなるパレット引張用具であって、
前記出入部材をパレットの側面に左右対象に設けられている２箇所のパレット差込口に挿入し、Ｌ字型の引掛け部材（３）、（５）、（８）、（１０）が挿入棒（２）および（７）に取り付けられた引掛け部材移動用兼支持体（１４）、（１７）、（２０）、（２３）に押されて左右に拡がり、パレットのブロックと称する構成部材に引っかかってパレットを引張り出せる状態になった時、引掛け部材移動用兼支持体（１４）と（１７）および（２０）と（２３）に対する挿入棒（２）および（７）が形成する角度αがそれぞれ９０度未満の角度となるものであることを特徴とするパレット引張用具に関する。
本考案の第２は、前記引掛け部材移動用兼支持体（１４）と（１７）および（２０）と（２３）に対する挿入棒（２）および（７）が形成する角度αが８０度〜８８度である請求項１記載のパレット引張用具に関する。
本考案の第３は、パレット引張用具をパレットへ挿入したり、引き出すのを容易にするためのガイドを有する請求項１または２記載のパレット引張用具に関する。
【０００８】
本考案のパレット引張用具によって引張り出されるパレットは、図５に示すようにＪＩＳ規格による一貫輸送用平パレットであり、平面が正方形状で、高さは正方形の一辺の長さの１／１５〜１／５程度の関係にあり、いろいろの貨物を載せる台である。本考案のパレット引張用具は、このパレットに貨物が載った状態でパレットを移動させるための道具である。代表的なパレットは、図５のものであって、高さは１２０ｍｍ、１辺の長さは１１００ｍｍであるが、そのうちパレット引張用具を挿入することのできる開口部は、左右いずれも高さ８０ｍｍ、１辺の長さ２５５ｍｍである。
【０００９】
本考案のパレット引張用具の材質は、金属製、木製、プラスチック製等が考えられるが特に制限はない。しかし、強度とコストを考えれば金属製とくに鉄製のものが好ましい。
【００１０】
前記Ｌ字型の引掛け部材３、５、８、１０は、パレットのブロックを引掛ける機能を持つ。
前記Ｌ字型の引掛け部材３、５、８、１０とベース基材（連結板）２５の取り付けは、２本の挿入棒２および７（レバー）とを連結部材１で一体化した出入部材をパレット側に最大限押した時に前記引掛け部材移動用兼支持体１４と１７および２０と２３に対する挿入棒２および７が形成する角度αが９０度よりやや小さい角度、好ましくは８０〜８８度、とくに好ましくは８２〜８４度で固定できるように調節することが肝心である。
これはパレット引張用具をパレットに装着後、フォークリフトで引っ張った時にパレットが左右に振れた場合に、その際に発する前記Ｌ字型の引掛け部材３、５、８、１０への圧力により挿入棒２および７がフォークリフト側に押されて前記Ｌ字型の引掛け部材３、５、８、１０がブロックから外れる事態を防止するためである。９０度またはそれ以上の角度になると、前記Ｌ字型の引掛け部材３、５、８、１０がブロックから外れる恐れがある。この引張用具がブロックから外れる問題については、ハンドルが後戻りしないように別途にストッパーを付ければ済むことではあるが、装置が複雑になるし、ワンタッチでロックできる利便性がなくなり好ましくない。
【００１１】
２本の挿入棒２および７（レバー）はベース基材（連結板）２５を介して、２対のＬ字型の引掛け部材３と５、および８と１０を１回の動作でパレット引張用具をパレット内に挿入するためのものである。
【００１２】
図１は、本考案の左右のＬ字型の引掛け部材３、５、８、１０がほぼ閉じた状態を示す図である。図２において、ベース基材（連結板）２５にＬ字型の引掛け部材３、５、８、１０を取り付けるための蝶番４、６、９および１１とＬ字型の引掛け部材３、５、８、１０を開閉するための引張用具の挿入棒（ハンドル）２および７を本体の左右２箇所にベース基材（連結板）２５を貫通して備えると共に本体底面の左右にガイド２６、２７を設け、ベース基材（連結板）２５の上部に、荷物を引き出すためのベルトを引張用具本体の中央に保持するための保持金具たとえば半円状金具２４を固着する。そして、Ｌ字型の引掛け部材３、５、８、１０と引張用具の挿入棒（ハンドル）２および７を連結部材１で一体化した出入部材は引掛け部材移動用兼支持体１４と１７および２０と２３を介して連動可能な仕組みにセットされる。
なお、これらの引掛け部材移動用兼支持体１４、１７、２０、２３は、Ｌ字型の引掛け部材３、５、８、１０が必要以上に開くと、パレットに挿入後にこれらを閉じるとき、閉じるための操作がスムースに進まなくなる場合があるので、挿入棒（ハンドル）２および７に開きすぎ防止ストッパーを取り付けることができる。
本考案装置の使用に際しては、保持金具たとえば半円状金具２４の中央を片手で握り挿入棒２および７の連結部材１を本体後方に引張るとＬ字型の引掛け部材３、５、８、１０が閉じた状態になる。このままパレット差込口にガイドを当てて前方に押すとスムーズに引張用具が挿入される。引張用具本体前面がパレットに接触したら挿入棒（ハンドル）２および７の連結部材１を押し込む。すると、Ｌ字型の引掛け部材３、５、８、１０は左右に開き、パレット前面に３個あるブロックの背面に平行に接触した状態になり、同時にＬ字型の引掛け部材３、５、８、１０が押し戻されることなくロックされ、引張用具は完全にパレットにセットされた状態になる。そこで、保持金具たとえば半円状金具２４にひもを通し、その先をフォークリフトに設置されたフックに掛けてフォークリフトを後進させてパレットを引き出す作業を開始する。なお、Ｌ字型の引掛け部材３、５、８、１０がパレットにセットされたとき、パレットと接触するＬ字型の引掛け部材３、５、８、１０の部分にはクッション材を付設することが好ましい。これにより引張用具によるパレットへの衝撃をやわらげることができる。また、クッション材を形成する材料の選択によりスベリ防止機能をも付与することができる。
以上説明したように本考案の引張用具を用いると、脆弱なプラスチックパレットでも破損することなく、簡単かつ短時間でコンテナ中のパレットを荷降ろしすることが出来るようになり、その結果として作業効率が向上する。
【００１３】
本考案のパレット引張用具の下部には、パレットの挿入を容易にするためのガイド２６、２７を付設することが好ましい。ガイドの形状や大きさは、本考案のパレット引張用具がガイドに乗ってパレットへの挿入が容易になる形状と大きさであればよい。たとえば、図４に示すように、先端がスキー板のように上方向に反った形状を有し、２対のＬ字型の引掛け部材３と５および８と１０を浮かして、それらの先端がパレット底部の溝に挟まることなくスムーズにパレット差込口に挿入できるような構造が好ましいが、もっとも簡単な構造の部材としては、図４の（Ｃ）に示すように先端が上方向に反ったループ状棒状体であってもよい。
【００１４】
保持金具２４は、パレットを保持している引張用具本体を図３に示すように、ベルト、ワイヤ等で引き出す時、ベルトやワイヤーなどが引張用具本体の中心からずれないようにするためのものである。保持金具２４は、図１および図２ではベース基材（連結板）の中央部に１個設けられているが、中央部から左右対称の個所にそれぞれ設けてもよい。
【００１５】
以下に本考案のパレット引張用具の使用方法を実施例を用いて説明する。
【００１６】
実施例
（ａ）本考案のパレット引張用具は、差込口が二方に設けられている平パレットに対して使用するものであり、引張用具の挿入棒（ハンドル）２および７を連結部材１で一体化してなる出入部材を手前に目一杯引き〔これに連動して２対のＬ字型の引掛け部材３、５、８、１０が閉じた状態になる〕、挿入棒２および７またはガイドを付設しているときはその先端をパレット差込口に挿入する。このときガイドはＬ字型の引掛け部材３、５、８、１０を浮かせる役目を持つためパレットの底部にＬ字型の引掛け部材３、５、８、１０が当たって挿入し難くなることを避けることができる。
（ｂ）次に引張用具をパレットに接触するまで挿入した後、２本の挿入棒２および７（レバー）を押し込む。これにより左右のＬ字型の引掛け部材３、５、８、１０が開き、３個のパレットブロックに４個のＬ字型の引掛け部材３、５、８、１０が接触する。
（ｃ）この後、引張用具本体に取り付けた保持金具に強度のあるワイヤ等のひもを付けてフォークリフトでコンテナ後部の端部まで容易に引き出すことが出来る。
（ｄ）この後に引張用具の出入部材を手前に引っ張ることにより左右のＬ字型の引掛け部材３、５、８、１０図１に示すような状態とすることにより引張用具をパレットから外し、フォークリフトで荷降ろしを行う。
【考案の効果】
【００１７】
本考案によれば、脆弱なプラスチックパレットを破損することなく極めて容易に引き出し作業を行うことができる。
また、本考案の装置は、コンパクトな構造のため運搬や収納が容易で場所をとらないうえ、構造が簡単なため故障を起こす可能性が極めて低い。
【図面の簡単な説明】
【００１８】
【図１】実施例で用いた引張用具における左右のＬ字型の引掛け部材３、５、８、１０が閉じた状態の図である。
【図２】実施例で用いた引張用具における左右のＬ字型の引掛け部材３、５、８、１０が開いた状態の図である。
【図３】実施例で用いた引張用具の側面図である。
【図４】パレット引張用具をパレットへ挿入したり、引き出すのを容易にするためのガイドの１例であり、（Ａ）は先端が上方向に反ったスキー板状ガイドの斜視図、（Ｂ）はその側面図である。（Ｃ）は先端が上方向に反ったループ状棒状体のガイドの斜視図である。
【図５】パレットの一例を示す斜視図である。
【符号の説明】
【００１９】
１  挿入棒（ハンドル）２と挿入棒（ハンドル）７とを結合する連結部材
２  挿入棒（ハンドル）
３  Ｌ字型の引掛け部材
４  蝶番
５  Ｌ字型の引掛け部材
６  蝶番
７  挿入棒（ハンドル）
８  Ｌ字型の引掛け部材
９  蝶番
１０  Ｌ字型の引掛け部材
１１  蝶番
１２  蝶番
１３  蝶番
１４  引掛け部材移動用兼支持体
１５  蝶番
１６  蝶番
１７  引掛け部材移動用兼支持体
１８  蝶番
１９  蝶番
２０  引掛け部材移動用兼支持体
２１  蝶番
２２  蝶番
２３  引掛け部材移動用兼支持体
２４  保持金具
２５  ベース基材（連結板）
２６  ガイド
２７  ガイド
【図１】
0003142814.tif 000003
【図２】
0003142814.tif 000004
【図３】
0003142814.tif 000005
【図４】
0003142814.tif 000006
【図５】
0003142814.tif 000007